(57)【要約】【課題】作業者が清掃を行ない易い、局部洗浄装置を提供する。【解決手段】局部洗浄装置１は、人体局部に向けて洗浄水を噴出する洗浄ノズル３と、洗浄ノズル３が進退自在に収納されるノズル収納部２と、を備える。ノズル収納部２は、洗浄ノズル３がノズル収納部２から突出するために形成された前方への開口であるノズル開口２１を有する。洗浄ノズル３は、洗浄水を噴出させる洗浄位置３４と、洗浄位置３４よりもノズル開口２１から突出する清掃位置３５と、に突出可能に設けられることを特徴とする。【選択図】図３
2016125236.tif 000002
【特許請求の範囲】
【請求項１】
人体局部に向けて洗浄水を噴出する洗浄ノズルと、
前記洗浄ノズルが進退自在に収納されるノズル収納部と、を備え、
前記ノズル収納部は、前記洗浄ノズルが前記ノズル収納部から突出するために形成された前方への開口であるノズル開口を有し、
前記洗浄ノズルは、洗浄水を噴出させる洗浄位置と、前記洗浄位置よりも前記ノズル開口から突出する清掃位置と、に突出可能に設けられる
ことを特徴とする局部洗浄装置。
【請求項２】
前記ノズル収納部には、前記洗浄ノズルの前記ノズル開口から突出すると開き且つ、前記洗浄ノズルが前記ノズル開口から前記ノズル収納部に収納されると閉じるシャッター部が設けられ、
前記洗浄ノズルが前記清掃位置に位置するとき、前記洗浄位置における開度よりも前記シャッター部の開度を大きくする開放機構を有する
ことを特徴とする請求項１に記載の局部洗浄装置。
【請求項３】
前記洗浄位置に前記洗浄ノズルが位置するとき、前記シャッター部に覆われる被覆部分が前記洗浄ノズルに形成され、
前記清掃位置に前記洗浄ノズルが位置するとき、前記被覆部分が前記ノズル開口から露出する
ことを特徴とする請求項２に記載の局部洗浄装置。
【発明の詳細な説明】
【技術分野】
【０００１】
本発明は、局部洗浄装置に関する。
【背景技術】
【０００２】
従来、局部に洗浄液を噴出する洗浄ノズルと、洗浄ノズルを進退自在に収納するためのノズル開口を有するノズル収納部と、を備える局部洗浄装置が知られている（例えば特許文献１参照）。
【先行技術文献】
【特許文献】
【０００３】
【特許文献１】特許第５３５４４５３号
【発明の概要】
【発明が解決しようとする課題】
【０００４】
特許文献１に記載されている局部洗浄装置では、洗浄ノズルのノズル開口から、局部に洗浄水を噴出するのに適した洗浄位置までしか洗浄ノズルが突出できない。そのため、洗浄位置における、洗浄ノズルのノズル開口付近部分を清掃することが困難であった。
【０００５】
本発明は上記従来の問題点に鑑みて発明したものであって、その目的とするところは、作業者が清掃を行ない易い、局部洗浄装置を提供することを課題とするものである。
【課題を解決するための手段】
【０００６】
上記課題を解決するために、本発明は、以下のような構成とする。
【０００７】
人体局部に向けて洗浄水を噴出する洗浄ノズルと、前記洗浄ノズルが進退自在に収納されるノズル収納部と、を備え、前記ノズル収納部は、前記洗浄ノズルが前記ノズル収納部から突出するために形成された前方への開口であるノズル開口を有し、前記洗浄ノズルは、洗浄水を噴出させる洗浄位置と、前記洗浄位置よりも前記ノズル開口から突出する清掃位置と、に突出可能に設けられることを特徴とする。
【発明の効果】
【０００８】
本発明の局部洗浄装置では、洗浄位置よりも洗浄ノズルを突出させることができるので、洗浄位置における洗浄ノズルのノズル開口付近部分を、作業者が清掃し易い。
【図面の簡単な説明】
【０００９】
【図１】図１は、便器の概略平面図である
【図２】図２は、便蓋及び便座を開いた状態の便器の斜視図である。
【図３】図３Ａは洗浄ノズルがノズル収納部に収納される収納位置にある局部洗浄装置の縦断面図であり、図３Ｂは洗浄ノズルが洗浄液を噴出する洗浄位置にある局部洗浄装置の縦断面図であり、図３Ｃは洗浄ノズルがシャッター部の裏面を清掃できる清掃位置にある局部洗浄装置の縦断面図である。
【発明を実施するための形態】
【００１０】
以下、本発明を添付図面に示す実施形態に基いて説明する。
【００１１】
本実施形態の局部洗浄装置１が設置される便器６は、図１，２に示すように、ボウル部６１と、外郭となるケーシング６２と、ケーシング６２内に設置される制御部６３と、を備える。また、便器６は、ボウル部６１上に起倒可能に載置される便座６４と、ケーシング６２に回転自在に取付けられ便座６４を収容する便蓋６５と、を備える。
【００１２】
ボウル部６１は、平面視楕円形状や円形状等、洗浄水が環状に流れ易い形状に形成されるのが好ましいが、形状は限定されない。また、ボウル部６１は、合成樹脂や陶器をはじめとする様々な材質で形成可能であり、材質は特に限定されない。ボウル部６１の上部には、ボウル部６１内に向けて洗浄水を吐出する洗浄水吐出口（不図示）が設けられる。
【００１３】
ここで、前方Ｆとは、図１に示すように、ボウル部６１上に載置される便座６４に着座した使用者が向く方向をいい、その反対方向を後方Ｂとする。また、左方Ｌおよび右方Ｒは、前方Ｆを向いたときの左右とする。
【００１４】
ケーシング６２は、図２に示すように、前半部をなすスカート部６２ａと、後半部の下部をなすサイドカバー６２ｂと、後半部の上部をなす機器ケース６２ｃと、後端部をなすリアカバー（不図示）と、を有する。スカート部６２ａ内には、ボウル部６１が設けられる。
【００１５】
機器ケース６２ｃには、図１に示すように、制御部６３や、各種設定を行う設定部等（不図示）が収容される。制御部６３は、マイクロコンピュータを備え、ＲＯＭ（Ｒｅａｄ  Ｏｎｌｙ  Ｍｅｍｏｒｙ）等の記憶部に記憶された制御プログラムを実行する。
【００１６】
局部洗浄装置１は、図２に示すように、ボウル部６１の上端部に形成されるリム部６１ａの後側に設置される。局部洗浄装置１は、洗浄水を噴出するために給水源（不図示）に接続される。また、局部洗浄装置１では、後述する洗浄ノズル３を進退させる駆動部４０、洗浄水を温めるヒータ（不図示）、洗浄水を噴出させる弁（不図示）、等といったものが制御部６３と電気的に接続される。そして、駆動部４０、ヒータ、弁といった構成は、制御部６３の出力信号により制御される。
【００１７】
以下に局部洗浄装置１について詳述するが、局部洗浄装置１は、図３Ａに示す洗浄ノズル３がノズル収納部２に収納された収納位置３６に位置している状態を基準とする。局部洗浄装置１は、人体の局部に向けて洗浄水を噴出する洗浄ノズル３と、洗浄ノズル３が進退自在に収納されるノズル収納部２と、を備える。
【００１８】
ノズル収納部２は、本実施形態では、図３Ａに示すように、筒状をしているが、その形状は限定されない。ノズル収納部２は、洗浄ノズル３がノズル収納部２から突出するために形成された、前方への開口であるノズル開口２１を有する。また、ノズル収納部２は、洗浄ノズル３が前後方向に進退できる範囲を規制する上方への開口である規制開口２２を有する。さらに、ノズル収納部２は、前端部に設けられ洗浄ノズル３と駆動部４０とを機械的に接続するための下方への開口である挿入開口２３を有する。
【００１９】
ノズル収納部２には、図３Ａに示すように、洗浄ノズル３がノズル開口２１から突出すると開き且つ、洗浄ノズル３がノズル開口２１からノズル収納部２に収納されると閉じるシャッター部２４が設置される。
【００２０】
シャッター部２４では、本実施形態では、ノズル収納部２の前端部の上側に形成される軸受け部２５に軸２４ｆが支持される。軸２４ｆは、洗浄ノズル３の進退方向及び上下方向に垂直な方向を軸方向とする。シャッター部２４は、この軸２４ｆ周りを回転する。
【００２１】
シャッター部２４は、ノズル開口２１を遮蔽するための遮蔽部２４ａと、遮蔽部２４ａの上端から突出して設けられる突出片２４ｂと、を有する。
【００２２】
ここで、突出片２４ｂは、遮蔽部２４ａから突出し後方に行く程上方に位置する傾斜部２４ｄと、傾斜部２４ｄの後端から後方に突出して設けられる受け部２４ｅと、を有する。
【００２３】
受け部２４ｅには、軸２４ｆが設けられる。そして、受け部２４ｅは、シャッター部２４が軸２４ｆ周りを回転したとき、ノズル収納部２の上端部に当たらないような長さで形成される。
【００２４】
局部洗浄装置１では、図３Ｂに示すように、洗浄ノズル３を前進させ、遮蔽部２４ａの裏面２４ｃにその先端を当て、さらに洗浄ノズル３を前進させることで、シャッター部２４を上斜め前方（開方向）に押し上げることができる。また、洗浄ノズル３を後退させ、ノズル開口２１から収納部に収納させると、図３Ａに示すように、シャッター部２４を下斜め後方（閉方向）に回転させることができる。
【００２５】
洗浄ノズル３は筒状に形成され、その内部には給水源から供給されヒータにより温められた洗浄水が流れる供給路（不図示）が設けられる。そして、洗浄ノズル３には、その前端部の上側に洗浄水を噴出させるための噴出口３１が形成される。
【００２６】
洗浄ノズル３は、駆動部４０により前後方向に移動することができる。駆動部４０は、図３Ａに示すように、ノズル収納部２の下方に配置される。
【００２７】
駆動部４０は、本実施形態では、モータ４１、モータ４１に連結されたウォームギア４２、ウォームギア４２と噛み合うウォームホイール４３、を有する。また、駆動部４０は、ウォームホイール４３と軸で連結され同軸周りを回転する小径歯車４４、小径歯車４４と噛み合う大径歯車４５、を有する。
【００２８】
そして、駆動部４０の大径歯車４５は、挿入開口２３からノズル収納部２内に挿入され、洗浄ノズル３の下側の中間部に歯切りされたラック部３３と噛み合う。以上のようにして、駆動部４０のモータ４１の動力が洗浄ノズル３に伝達される。なお、駆動部４０の構造は上記したものに限定されない。
【００２９】
洗浄ノズル３は、図３Ｂに示す洗浄水を噴出させる洗浄位置３４と、図３Ｃに示す洗浄位置３４よりもノズル開口２１から突出する清掃位置３５と、に突出可能に設けられる。そして、洗浄ノズル３の後端部の上側には、上方に突出して規制開口２２に挿入される挿入部３２が設けられる。
【００３０】
洗浄ノズル３では、図３Ａに示すように、収納位置３６のとき、挿入部３２の後端が規制開口２２の後縁に接触する。これにより、洗浄ノズル３の後方への移動が規制される。洗浄ノズル３では、図３Ｃに示すように、清掃位置３５のとき、挿入部３２の前端が規制開口２２の前縁に接触する。これにより、洗浄ノズル３の前方への移動が規制される。
【００３１】
挿入部３２は、図３Ａに示すように、規制開口２２よりもさらに上方に突出して設けられる。その挿入部３２の上端部には、本実施形態では、前方向に突出し所定の長さを有する押し込み部３２ａが形成される。
【００３２】
押し込み部３２ａの所定の長さは、図３Ｃに示すように、洗浄ノズル３が清掃位置３５にあるとき、シャッター部２４の受け部２４ｅを前方向に押し込むことができる長さとなる。さらに、押し込み部３２ａの長さは、受け部２４ｅを押し込むことで、シャッター部２４をさらに後斜め上方に回転させ、シャッター部２４の裏面２４ｃを前方に露出させることができる長さに形成される。これにより、洗浄ノズル３が清掃位置３５まで前進すると、シャッター部２４の開度は、図３Ｃに示すように、シャッター部２４の裏面２４ｃが前方に露出する開放位置２６となる。このとき、作業者は、シャッター部２４の裏面２４ｃを掃除することができる。
【００３３】
本実施形態の局部洗浄装置１では、洗浄ノズル３の押し込み部３２ａとシャッター部２４の突出片２４ｂが、シャッター部２４の裏面２４ｃを前方に露出させる開放機構５となる。この開放機構５により、洗浄ノズル３が清掃位置３５に位置するとき、洗浄位置３４における開度よりもシャッター部２４の開度を大きくすることができる。また、本実施形態の開放機構５は、洗浄位置３４のときは機能せず、清掃位置３５のときのみシャッター部２４の開度を上記した開度にする機構となっている。
【００３４】
開放機構５により、洗浄ノズル３が清掃位置３５まで前進すると、自動でシャッター部２４の裏面２４ｃが前方に露出する位置まで開放される。これにより、作業者が直接手を触れることなくシャッター部２４を開けることができ、作業者が清掃の際不快な思いをし難くなる。
【００３５】
洗浄ノズル３は、洗浄位置３４に位置するとき、図３Ｂに示すように、シャッター部２４の先端が洗浄ノズル３に載置される。このとき、シャッター部２４は、下側を向く位置まで開いている。より詳細に記載すると、本実施形態では、シャッター部２４はノズル開口２１側斜め下方向を向く位置まで開いている。
【００３６】
このような開度で開いているシャッター部２４により、ノズル開口２１が覆われるので、洗浄水の跳ね返りがノズル開口２１に当たらないようにすることができる。また、シャッター部２４は、ノズル開口２１だけでなく洗浄ノズル３も覆うことになるので、洗浄ノズル３には、シャッター部２４により覆われる被覆部分３７が形成される。
【００３７】
被覆部分３７は、図３Ｂに示すように、洗浄ノズル３におけるノズル開口２１付近の部分であり、ノズル開口２１から突出した部分及びノズル収納部２内の部分を含む。この被覆部分３７には、シャッター部２４の表面に掛かり伝ってきた水や、洗浄ノズル３の前端部から伝ってきた水が付着するため、水垢が発生し易い。また、濡れたままノズル収納部２に収納されるので、洗浄ノズル３の被覆部分３７にカビが発生してしまう虞もある。
【００３８】
ここで、被覆部分３７は、洗浄ノズル３が洗浄位置３４に位置するときは、シャッター部２４に覆われ、またノズル収納部２内に位置する部分である。このとき、洗浄位置３４では、シャッター部２４とノズル収納部２が障害となるため、被覆部分３７は掃除をすることが困難である。
【００３９】
このため、局部洗浄装置１では、図３Ｃに示すように、洗浄ノズル３が清掃位置３５に位置するとき、シャッター部２４の裏面２４ｃが前方に露出すると共に、被覆部分３７がノズル開口２１から露出することが好ましい。このとき、洗浄位置３４に位置するときの、洗浄ノズル３とシャッター部２４の先端との距離よりも、清掃位置３５に位置するときの、洗浄ノズル３とシャッター部２４の先端との距離の方が大きくなる。これにより、シャッター部２４の裏面２４ｃを掃除できるだけでなく、被覆部分３７も掃除することができる。
【００４０】
上記した構成の局部洗浄装置１では、洗浄ノズル３が洗浄位置３４よりもノズル開口２１から突出する清掃位置３５まで突出できる。従って、洗浄位置３４における洗浄ノズル３のノズル開口２１付近を、清掃位置３５において作業者が清掃できる。
【００４１】
上記した局部洗浄装置１は、以下のような構成を備える。
【００４２】
局部洗浄装置１は、人体局部に向けて洗浄水を噴出する洗浄ノズル３と、洗浄ノズル３が進退自在に収納されるノズル収納部２と、を備える。ノズル収納部２は、洗浄ノズル３がノズル収納部２から突出するために形成された前方への開口であるノズル開口２１を有する。洗浄ノズル３は、洗浄水を噴出させる洗浄位置３４と、洗浄位置３４よりもノズル開口２１から突出する清掃位置３５と、に突出可能に設けられることを特徴とする。
【００４３】
これにより、洗浄位置３４における洗浄ノズル３のノズル開口２１付近を、清掃位置３５において作業者が清掃できる。
【００４４】
また、ノズル収納部２には、洗浄ノズル３のノズル開口２１から突出すると開き且つ、洗浄ノズル３がノズル開口２１からノズル収納部２に収納されると閉じるシャッター部２４が設けられる。局部洗浄装置１は、洗浄ノズル３が清掃位置３５に位置するとき、洗浄位置３４における開度よりもシャッター部２４の開度を大きくする開放機構５を有することが好ましい。
【００４５】
これにより、作業者が直接手を触れることなくシャッター部２４を開けることができる。
【００４６】
また、洗浄位置３４に洗浄ノズル３が位置するとき、シャッター部２４に覆われる被覆部分３７が洗浄ノズル３に形成される。清掃位置３５に洗浄ノズル３が位置するとき、被覆部分３７がノズル開口２１から露出することが好ましい。
【００４７】
これにより、清掃位置３５においては、シャッター部２４の裏面２４ｃを露出させ掃除できるだけでなく、被覆部分３７も掃除することができる。
【符号の説明】
【００４８】
１      局部洗浄装置
２      ノズル収納部
２１    ノズル開口
２４    シャッター部
２４ｃ  裏面
２６    開放位置
３      洗浄ノズル
３２    挿入部
３２ａ  押し込み部
３４    洗浄位置
３５    清掃位置
３６    収納位置
３７    被覆部分
５      開放機構
【図１】
2016125236.tif 000003
【図２】
2016125236.tif 000004
【図３】
2016125236.tif 000005